(57)【要約】【課題】遊技者に違和感を与えることなく、演出の全体的なパフォーマンスを向上する。【解決手段】本発明の遊技機は、所定の契機に基づいて遊技者に有利な遊技利益を付与するための抽選を行い、この抽選結果に応じて遊技を進行し、遊技の進行に伴い演出を実行する遊技機であって、演出を実行する役物ドライバおよび画像ＩＣと、役物ドライバに対応付けられた割込タイミングで役物ドライバに演出を実行させるとともに、画像ＩＣに対応付けられた割込タイミングで画像ＩＣに演出を実行させるＣＰＵと、を備え、ＣＰＵは、割込周期に基づき、役物ドライバに、画像ＩＣより優先して演出を実行させるべき状況下において、割込処理の占有時間に基づいて、画像ＩＣに、役物ドライバより優先して演出を実行させる。【選択図】図９
2018102430.tif 000002
【特許請求の範囲】
【請求項１】
所定の契機に基づいて遊技者に有利な遊技利益を付与するための抽選を行い、この抽選結果に応じて遊技を進行し、遊技の進行に伴い演出を実行する遊技機であって、
前記演出を実行する第１デバイスおよび第２デバイスと、
前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、
を備え、
前記ＣＰＵは、
割込周期に基づき、前記第１デバイスに、前記第２デバイスより優先して前記演出を実行させるべき状況下において、
割込処理の占有時間に基づいて、前記第２デバイスに、前記第１デバイスより優先して前記演出を実行させることを特徴とする遊技機。
【請求項２】
所定の契機に基づいて遊技者に有利な遊技利益を付与するための抽選を行い、この抽選結果に応じて遊技を進行し、遊技の進行に伴い演出を実行する遊技機であって、
前記演出を実行する第１デバイスおよび第２デバイスと、
前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、
を備え、
前記ＣＰＵは、割込周期、および、割込処理の占有時間に基づき、前記第１デバイスおよび前記第２デバイスの一方に、他方より優先して前記演出を実行させることを特徴とする遊技機。
【請求項３】
所定の契機に基づいて遊技者に有利な遊技利益を付与するための抽選を行い、この抽選結果に応じて遊技を進行し、遊技の進行に伴い演出を実行する遊技機であって、
前記演出を実行する第１デバイスおよび第２デバイスと、
前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、
を備え、
前記ＣＰＵは、
割込周期に基づき、前記第１デバイスに、前記第２デバイスより優先して前記演出を実行させるべき状況下において、
前記第１デバイスによる前記演出の実行に遅延要素が含まれる場合に、前記第２デバイスに、前記第１デバイスより優先して前記演出を実行させることを特徴とする遊技機。
【請求項４】
所定の契機に基づいて遊技者に有利な遊技利益を付与するための抽選を行い、この抽選結果に応じて遊技を進行し、遊技の進行に伴い演出を実行する遊技機であって、
前記演出を実行する第１デバイスおよび第２デバイスと、
前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、
を備え、
前記ＣＰＵは、割込周期、および、演出実行時の遅延要素に基づき、前記第１デバイスおよび前記第２デバイスの一方に、他方より優先して前記演出を実行させることを特徴とする遊技機。
【請求項５】
所定の契機に基づいて遊技者に有利な遊技利益を付与するための抽選を行い、この抽選結果に応じて遊技を進行し、遊技の進行に伴い演出を実行する遊技機であって、
前記演出を実行する第１デバイスおよび第２デバイスと、
前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、
を備え、
前記ＣＰＵは、
割込処理の占有時間に基づき、前記第１デバイスに、前記第２デバイスより優先して前記演出を実行させるべき状況下において、
前記第１デバイスによる前記演出の実行に遅延要素が含まれる場合に、前記第２デバイスに、前記第１デバイスより優先して前記演出を実行させることを特徴とする遊技機。
【請求項６】
所定の契機に基づいて遊技者に有利な遊技利益を付与するための抽選を行い、この抽選結果に応じて遊技を進行し、遊技の進行に伴い演出を実行する遊技機であって、
前記演出を実行する第１デバイスおよび第２デバイスと、
前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、
を備え、
前記ＣＰＵは、割込処理の占有時間、および、演出実行時の遅延要素に基づき、前記第１デバイスおよび前記第２デバイスの一方に、他方より優先して前記演出を実行させることを特徴とする遊技機。
【請求項７】
所定の契機に基づいて遊技者に有利な遊技利益を付与するための抽選を行い、この抽選結果に応じて遊技を進行し、遊技の進行に伴い演出を実行する遊技機であって、
前記演出を実行する第１デバイスおよび第２デバイスと、
前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、
を備え、
前記ＣＰＵは、演出実行時の遅延要素に基づき、前記第１デバイスおよび前記第２デバイスの一方に、他方より優先して前記演出を実行させることを特徴とする遊技機。
【請求項８】
所定の契機に基づいて遊技者に有利な遊技利益を付与するための抽選を行い、この抽選結果に応じて遊技を進行し、遊技の進行に伴い演出を実行する遊技機であって、
前記演出を実行する第１デバイスおよび第２デバイスと、
前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、
を備え、
前記ＣＰＵは、割込処理の占有時間、および、演出対象が可動体であるか否かに基づき、前記第１デバイスおよび前記第２デバイスの一方に、他方より優先して前記演出を実行させることを特徴とする遊技機。
【発明の詳細な説明】
【技術分野】
【０００１】
本発明は、遊技者に遊技上の利益を付与するか否かを抽選により決定する遊技機に関する。
【背景技術】
【０００２】
一般に、遊技機（パチンコ機）では、遊技者のハンドル操作により遊技盤内の遊技領域に向かって遊技球が発射され、遊技領域を流下した遊技球が始動口に入球したことを条件に特別図柄に係る抽選が実行される。そして、特別図柄表示器において、特別図柄が変動表示され、さらに、抽選によって決定された特別図柄が停止表示されることで遊技者に抽選結果が報知される。このとき、特別図柄表示器に大当たりであることを示す特定の特別図柄が停止表示されると、通常の遊技に比べて遊技者に有利な大役遊技が開始される。この大役遊技では、アタッカー装置が所定回数開閉し、大入賞口への遊技球の入球が可能となるので、遊技者は多くの賞球の払出を受けることが可能となる。
【０００３】
このような遊技機では、変動表示における画像、役物駆動、照明、楽曲等、様々な演出を通じて、遊技者に対し、その変動表示が大当たりであることに期待を持たせることができる。しかし、このような演出に基づくコマンドが多くなると、所定の時間内に効率よくコマンドを解析するのが困難になる。そこで、コマンドの受信処理と別個の周期でコマンドの解析処理を行い、コマンドの受信および解析を効率よく実現するとともに、演出用役物を駆動するモータについても効率よく制御可能な技術が知られている（例えば、特許文献１）。
【先行技術文献】
【特許文献】
【０００４】
【特許文献１】特開２０１３−２３６７３４号公報
【発明の概要】
【発明が解決しようとする課題】
【０００５】
遊技機では、画像、役物駆動、照明、楽曲等、様々な演出が一度に並行して実行される。このような画像、役物駆動、照明、楽曲といった演出は、それぞれ実行周期（割込周期）が異なり、遊技者に違和感を与えないという観点から、割込周期に基づいて応答性を要する（割込周期の短い）演出を優先して実行するようにしている。しかし、割込周期のみに基づいて一律に演出を実行するように優先順位を決定してしまうと、演出を実行する総合的な時間効率が低下し、全体的なパフォーマンスを発揮できない場合がある。
【０００６】
本発明は、このような課題に鑑み、遊技者に違和感を与えることなく、演出の全体的なパフォーマンスを向上することが可能な遊技機を提供することを目的としている。
【課題を解決するための手段】
【０００７】
上記課題を解決するために、本発明の遊技機は、所定の契機に基づいて遊技者に有利な遊技利益を付与するための抽選を行い、この抽選結果に応じて遊技を進行し、遊技の進行に伴い演出を実行する遊技機であって、前記演出を実行する第１デバイスおよび第２デバイスと、前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、を備え、前記ＣＰＵは、割込周期に基づき、前記第１デバイスに、前記第２デバイスより優先して前記演出を実行させるべき状況下において、割込処理の占有時間に基づいて、前記第２デバイスに、前記第１デバイスより優先して前記演出を実行させることを特徴とする。
【０００８】
上記課題を解決するために、本発明の他の遊技機は、所定の契機に基づいて遊技者に有利な遊技利益を付与するための抽選を行い、この抽選結果に応じて遊技を進行し、遊技の進行に伴い演出を実行する遊技機であって、前記演出を実行する第１デバイスおよび第２デバイスと、前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、を備え、前記ＣＰＵは、割込周期、および、割込処理の占有時間に基づき、前記第１デバイスおよび前記第２デバイスの一方に、他方より優先して前記演出を実行させることを特徴とする。
【０００９】
上記課題を解決するために、本発明の他の遊技機は、所定の契機に基づいて遊技者に有利な遊技利益を付与するための抽選を行い、この抽選結果に応じて遊技を進行し、遊技の進行に伴い演出を実行する遊技機であって、前記演出を実行する第１デバイスおよび第２デバイスと、前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、を備え、前記ＣＰＵは、割込周期に基づき、前記第１デバイスに、前記第２デバイスより優先して前記演出を実行させるべき状況下において、前記第１デバイスによる前記演出の実行に遅延要素が含まれる場合に、前記第２デバイスに、前記第１デバイスより優先して前記演出を実行させることを特徴とする。
【００１０】
上記課題を解決するために、本発明の他の遊技機は、所定の契機に基づいて遊技者に有利な遊技利益を付与するための抽選を行い、この抽選結果に応じて遊技を進行し、遊技の進行に伴い演出を実行する遊技機であって、前記演出を実行する第１デバイスおよび第２デバイスと、前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、を備え、前記ＣＰＵは、割込周期、および、演出実行時の遅延要素に基づき、前記第１デバイスおよび前記第２デバイスの一方に、他方より優先して前記演出を実行させることを特徴とする。
【００１１】
上記課題を解決するために、本発明の他の遊技機は、所定の契機に基づいて遊技者に有利な遊技利益を付与するための抽選を行い、この抽選結果に応じて遊技を進行し、遊技の進行に伴い演出を実行する遊技機であって、前記演出を実行する第１デバイスおよび第２デバイスと、前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、を備え、前記ＣＰＵは、割込処理の占有時間に基づき、前記第１デバイスに、前記第２デバイスより優先して前記演出を実行させるべき状況下において、前記第１デバイスによる前記演出の実行に遅延要素が含まれる場合に、前記第２デバイスに、前記第１デバイスより優先して前記演出を実行させることを特徴とする。
【００１２】
上記課題を解決するために、本発明の他の遊技機は、所定の契機に基づいて遊技者に有利な遊技利益を付与するための抽選を行い、この抽選結果に応じて遊技を進行し、遊技の進行に伴い演出を実行する遊技機であって、前記演出を実行する第１デバイスおよび第２デバイスと、前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、を備え、前記ＣＰＵは、割込処理の占有時間、および、演出実行時の遅延要素に基づき、前記第１デバイスおよび前記第２デバイスの一方に、他方より優先して前記演出を実行させることを特徴とする。
【００１３】
上記課題を解決するために、本発明の他の遊技機は、所定の契機に基づいて遊技者に有利な遊技利益を付与するための抽選を行い、この抽選結果に応じて遊技を進行し、遊技の進行に伴い演出を実行する遊技機であって、前記演出を実行する第１デバイスおよび第２デバイスと、前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、を備え、前記ＣＰＵは、演出実行時の遅延要素に基づき、前記第１デバイスおよび前記第２デバイスの一方に、他方より優先して前記演出を実行させることを特徴とする。
【００１４】
上記課題を解決するために、本発明の他の遊技機は、所定の契機に基づいて遊技者に有利な遊技利益を付与するための抽選を行い、この抽選結果に応じて遊技を進行し、遊技の進行に伴い演出を実行する遊技機であって、前記演出を実行する第１デバイスおよび第２デバイスと、前記第１デバイスに対応付けられた割込タイミングで前記第１デバイスに前記演出を実行させるとともに、前記第２デバイスに対応付けられた割込タイミングで前記第２デバイスに前記演出を実行させるＣＰＵと、を備え、前記ＣＰＵは、割込処理の占有時間、および、演出対象が可動体であるか否かに基づき、前記第１デバイスおよび前記第２デバイスの一方に、他方より優先して前記演出を実行させることを特徴とする。
【発明の効果】
【００１５】
本発明によれば、遊技者に違和感を与えることなく、演出の全体的なパフォーマンスを向上することが可能となる。
【図面の簡単な説明】
【００１６】
【図１】扉が開放された状態を示す遊技機の斜視図である。
【図２】遊技機の正面図である。
【図３】遊技機のブロック図である。
【図４】副制御基板における、演出表示部、演出役物装置、演出照明装置、楽曲出力装置の制御態様を説明するためのブロック図である。
【図５】制御態様を示すフローチャートである。
【図６】割込処理の優先順位の一例を示した説明図である。
【図７】フレームの切り換え態様を説明するための説明図である。
【図８】パルスモータの動作態様を説明するための説明図である。
【図９】本実施形態における割込処理の優先順位の一例を示した説明図である。
【図１０】スロットマシンの概略的な機械的構成を説明するための外観図である。
【図１１】スロットマシンの概略的な機械的構成を説明するための前面扉を開いた状態での外観図である。
【図１２】リールの図柄配列を示す図である。
【図１３】スロットマシンの概略的な電気的構成を示したブロック図である。
【発明を実施するための形態】
【００１７】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１８】
本発明の実施形態の理解を容易にするため、まず、遊技機の機械的構成および電気的構成を簡単に説明し、その後、各基板における具体的な処理を説明する。
【００１９】
図１は、本実施形態の遊技機１００の斜視図であり、扉が開放された状態を示している。図示のように、遊技機１００は、略矩形状に組まれた四辺によって囲繞空間が形成される外枠１０２と、この外枠１０２にヒンジ機構によって開閉自在に取り付けられた中枠１０４と、この中枠１０４に、ヒンジ機構によって開閉自在に取り付けられた前枠１０６と、を備えている。
【００２０】
中枠１０４は、外枠１０２と同様に、略矩形状に組まれた四辺によって囲繞空間が形成されており、この囲繞空間に遊技盤１０８が保持されている。また、前枠１０６には、ガラス製または樹脂製の透過板１１０が保持されている。そして、これら中枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００２１】
図２は、遊技機１００の正面図である。この図に示すように、前枠１０６の下部には、遊技機１００の正面側に突出する操作ハンドル１１２が設けられている。この操作ハンドル１１２は、遊技者が回転操作可能に設けられており、遊技者が操作ハンドル１１２を回転させて発射操作を行うと、当該操作ハンドル１１２の回転角度に応じた強度で、不図示の発射機構によって遊技球が発射される。このようにして発射された遊技球は、遊技盤１０８に設けられたレール１１４ａ、１１４ｂ間を上昇して遊技領域１１６に導かれることとなる。
【００２２】
遊技領域１１６は、遊技盤１０８と透過板１１０との間隔に形成される空間であって、遊技球が流下または転動可能な領域である。遊技盤１０８には、多数の釘や風車が設けられており、遊技領域１１６に導かれた遊技球が釘や風車に衝突して、不規則な方向に流下、転動するようにしている。
【００２３】
遊技領域１１６は、発射機構の発射強度に応じて遊技球の進入度合いを互いに異にする第１遊技領域１１６ａおよび第２遊技領域１１６ｂを備えている。第１遊技領域１１６ａは、遊技機１００に正対した遊技者から見て遊技領域１１６の左側に位置し、第２遊技領域１１６ｂは、遊技機１００に正対した遊技者から見て遊技領域１１６の右側に位置している。レール１１４ａ、１１４ｂが遊技領域１１６の左側にあることから、発射機構によって所定の強度未満の発射強度で発射された遊技球は第１遊技領域１１６ａに進入し、所定の強度以上の発射強度で発射された遊技球は第２遊技領域１１６ｂに進入することとなる。
【００２４】
また、遊技領域１１６には、遊技球が入球可能な一般入賞口１１８、第１始動口１２０、第２始動口１２２が設けられており、これら一般入賞口１１８、第１始動口１２０、第２始動口１２２に遊技球が入球すると、それぞれ所定の賞球が遊技者に払い出される。なお、賞球数は１個以上であれば何個でもよく、また、一般入賞口１１８、第１始動口１２０、第２始動口１２２のそれぞれで払い出す賞球数を異ならせてもよいし、同じ賞球数に設定してもよい。このとき、第１始動口１２０に遊技球が入球して払い出す賞球数を、第２始動口１２２に遊技球が入球して払い出す賞球数よりも少なく設定することも可能である。
【００２５】
なお、第１始動口１２０内には第１始動領域が設けられ、また、第２始動口１２２内には第２始動領域が設けられている。そして、第１始動口１２０または第２始動口１２２に遊技球が入球して第１始動領域または第２始動領域に遊技球が進入すると、予め設けられた複数の特別図柄の中からいずれか１の特別図柄を決定するための抽選が行われる。各特別図柄には、遊技者にとって有利な大役遊技の実行可否や、以後の遊技状態をどのような遊技状態にするかといった種々の遊技利益が対応付けられている。したがって、遊技者は、第１始動口１２０または第２始動口１２２に遊技球が入球すると、所定の賞球を獲得するのと同時に、種々の遊技利益を受ける権利獲得の機会を獲得することとなる。
【００２６】
また、第２始動口１２２には、可動片１２２ｂが開閉可能に設けられており、この可動片１２２ｂの状態に応じて、第２始動口１２２への遊技球の進入容易性が変化するようになっている。具体的には、可動片１２２ｂが閉状態にあるときには、第２始動口１２２への遊技球の入球が不可能となっている。これに対して、遊技領域１１６に設けられたゲート１２４内の進入領域を遊技球が通過すると、普通図柄の抽選が行われ、この抽選によって当たりに当選すると、可動片１２２ｂが所定時間、開状態に制御される。このように、可動片１２２ｂが開状態になると、当該可動片１２２ｂが遊技球を第２始動口１２２に導く受け皿として機能し、第２始動口１２２への遊技球の入球が容易となる。なお、ここでは、第２始動口１２２が閉状態にあるときに、当該第２始動口１２２への遊技球の入球が不可能であることとしたが、第２始動口１２２が閉状態にある場合にも一定の頻度で遊技球が入球可能となるように構成してもよい。
【００２７】
さらに、遊技領域１１６には、遊技球が入球可能な大入賞口１２８が設けられている。この大入賞口１２８には、開閉扉１２８ｂが開閉可能に設けられており、通常、開閉扉１２８ｂが大入賞口１２８を閉鎖して、大入賞口１２８への遊技球の入球が不可能となっている。これに対して、前述の大役遊技が実行されると、開閉扉１２８ｂが開放されて、大入賞口１２８への遊技球の入球が可能となる。そして、大入賞口１２８に遊技球が入球すると、所定の賞球が遊技者に払い出される。
【００２８】
なお、遊技領域１１６の最下部には、一般入賞口１１８、第１始動口１２０、第２始動口１２２、大入賞口１２８のいずれにも入球しなかった遊技球を、遊技領域１１６から遊技盤１０８の背面側に排出する排出口１３０が設けられている。
【００２９】
そして、遊技機１００には、遊技の進行中等に演出を行う演出装置として、液晶表示装置からなる演出表示装置２００、駆動装置からなる演出役物装置２０２、さまざまな点灯態様や発光色に制御されるランプからなる演出照明装置２０４、スピーカからなる楽曲出力装置２０６、遊技者の操作を受け付ける演出操作装置２０８が設けられている。
【００３０】
演出表示装置２００は、画像を表示する画像表示部からなる演出表示部２００ａを備えており、この演出表示部２００ａを、遊技盤１０８の略中央部分において、遊技機１００の正面側から視認可能に配置している。この演出表示部２００ａには、図示のように演出図柄２１０ａ、２１０ｂ、２１０ｃが変動表示され、これら各演出図柄２１０ａ、２１０ｂ、２１０ｃの停止表示態様によって大役抽選結果が遊技者に報知される変動演出が実行されることとなる。
【００３１】
演出役物装置２０２は、演出表示部２００ａよりも前方に配置され、通常、遊技盤１０８の背面側に退避しているが、上記の演出図柄２１０ａ、２１０ｂ、２１０ｃの変動表示中などに、演出表示部２００ａの前方まで移動して、遊技者に大当たりの期待感を付与するものである。
【００３２】
演出照明装置２０４は、例えばＬＥＤ（Light Emitting Diode）でなり、演出役物装置２０２や遊技盤１０８等に設けられており、演出表示部２００ａに表示される画像等に合わせて、さまざまに点灯制御される。
【００３３】
楽曲出力装置２０６は、前枠１０６の上部位置や外枠１０２の最下部位置に設けられ、演出表示部２００ａに表示される画像等に合わせて、遊技機１００の正面側に向けてさまざまな楽曲を出力する。なお、楽曲とは、楽音、噪音、音声、擬音等、音に関する全ての概念を含む。
【００３４】
演出操作装置２０８は、遊技者の押下操作を受け付けるボタンと、遊技者の回転操作を受け付ける回転操作部（例えば、ジョグダイヤル）で構成され、遊技機１００の幅方向略中央位置であって、かつ、透過板１１０よりも下方位置に設けられている。この演出操作装置２０８は、演出表示部２００ａに表示される画像等に合わせて有効化され、操作有効期間内に遊技者の操作を受け付けると、当該操作に応じて、さまざまな演出が実行される。
【００３５】
また、演出操作装置２０８の後方には、遊技機１００から払い出される賞球や、遊技球貸出装置から貸し出される遊技球が導かれる上皿１３２があり、この上皿１３２が遊技球で一杯になると、遊技球は下皿１３４に導かれることとなる。また、この下皿１３４の底面には、当該下皿１３４から遊技球を排出するための球抜き孔（不図示）が形成されている。この球抜き孔は、通常、開閉板（不図示）によって閉じられているが、球抜きつまみ１３４ａを図中左右方向にスライドさせることにより、当該球抜きつまみ１３４ａと一体となって開閉板がスライドし、球抜き孔から下皿１３４の下方に遊技球を排出することが可能となっている。
【００３６】
また、遊技盤１０８には、遊技領域１１６の外方であって、かつ、遊技者が視認可能な位置に、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が設けられている。これら各表示器１６０〜１７２は、遊技に係る種々の状況を表示するための装置である。
【００３７】
（制御手段の内部構成）
図３は、遊技の進行を制御する制御手段の内部構成を示すブロック図である。主制御基板３００は遊技の基本動作を制御する。この主制御基板３００は、メインＣＰＵ３００ａ、メインＲＯＭ３００ｂ、メインＲＡＭ３００ｃを備えている。メインＣＰＵ３００ａは、各検出スイッチやタイマからの入力信号に基づいて、メインＲＯＭ３００ｂに格納されたプログラムを読み出して演算処理を行うとともに、各装置や表示器を直接制御したり、あるいは演算処理の結果に応じて他の基板にコマンドを送信したりする。メインＲＡＭ３００ｃは、メインＣＰＵ３００ａの演算処理時におけるデータのワークエリアとして機能する。
【００３８】
上記主制御基板３００には、一般入賞口１１８に遊技球が入球したことを検出する一般入賞口検出スイッチ１１８ｓ、第１始動口１２０に遊技球が入球したことを検出する第１始動口検出スイッチ１２０ｓ、第２始動口１２２に遊技球が入球したことを検出する第２始動口検出スイッチ１２２ｓ、ゲート１２４を遊技球が通過したことを検出するゲート検出スイッチ１２４ｓ、大入賞口１２８に遊技球が入球したことを検出する大入賞口検出スイッチ１２８ｓが接続されており、これら各検出スイッチから主制御基板３００に検出信号が入力されるようになっている。
【００３９】
また、主制御基板３００には、第２始動口１２２の可動片１２２ｂを作動する普通電動役物ソレノイド１２２ｃと、大入賞口１２８を開閉する開閉扉１２８ｂを作動する大入賞口ソレノイド１２８ｃと、が接続されており、主制御基板３００によって、第２始動口１２２および大入賞口１２８の開閉制御がなされるようになっている。
【００４０】
さらに、主制御基板３００には、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が接続されており、主制御基板３００によって、これら各表示器の表示制御がなされるようになっている。
【００４１】
また、本実施形態の遊技機１００は、主に第１始動口１２０または第２始動口１２２への遊技球の入球によって開始される特別遊技と、ゲート１２４を遊技球が通過することによって開始される普通遊技とに大別される。そして、主制御基板３００のメインＲＯＭ３００ｂには、特別遊技および普通遊技を進行するための種々のプログラムや、各種の遊技に必要なデータ、テーブルが記憶されている。
【００４２】
また、主制御基板３００には、払出制御基板３１０および副制御基板３３０が接続されている。
【００４３】
払出制御基板３１０は、遊技球を発射させるための制御、および、賞球を払い出すための制御を行う。この払出制御基板３１０も、ＣＰＵ、ＲＯＭ、ＲＡＭを備えており、主制御基板３００に対して双方向に通信可能に接続されている。この払出制御基板３１０には遊技情報出力端子板３１２が接続されており、主制御基板３００から出力される遊技進行上の種々の情報が、払出制御基板３１０および遊技情報出力端子板３１２を介して、遊技店のホールコンピュータ等に出力されることとなる。
【００４４】
また、払出制御基板３１０には、貯留部に貯留された遊技球を賞球として遊技者に払い出すための払出モータ３１４が接続されている。払出制御基板３１０は、主制御基板３００から送信された払出個数指定コマンドに基づいて払出モータ３１４を制御して所定の賞球を遊技者に払い出すように制御する。このとき、払い出された遊技球数が払出球計数スイッチ３１６ｓによって検出され、払い出すべき賞球が遊技者に払い出されたかが把握されるようになっている。
【００４５】
また、払出制御基板３１０には、下皿１３４の満タン状態を検出する皿満タン検出スイッチ３１８ｓが接続されている。この皿満タン検出スイッチ３１８ｓは、賞球として払い出される遊技球を下皿１３４に導く通路に設けられており、当該通路を遊技球が通過するたびに、遊技球検出信号が払出制御基板３１０に入力されるようになっている。
【００４６】
そして、下皿１３４に所定量以上の遊技球が貯留されて満タン状態になると、下皿１３４に向かう通路内に遊技球が滞留し、皿満タン検出スイッチ３１８ｓから払出制御基板３１０に向けて、遊技球検出信号が連続的に入力される。払出制御基板３１０は、遊技球検出信号が所定時間連続して入力された場合に、下皿１３４が満タン状態であると判断し、皿満タンコマンドを主制御基板３００に送信する。一方、皿満タンコマンドを送信した後、遊技球検出信号の連続入力が途絶えた場合には、満タン状態が解除されたと判断し、皿満タン解除コマンドを主制御基板３００に送信する。
【００４７】
また、払出制御基板３１０には、遊技球の発射制御を行う発射制御回路３２０が設けられている。払出制御基板３１０には、操作ハンドル１１２に設けられ、当該操作ハンドル１１２に遊技者が触れたことを検出するタッチセンサ１１２ｓと、操作ハンドル１１２の操作角度を検出する操作ボリューム１１２ａと、が接続されている。そして、タッチセンサ１１２ｓおよび操作ボリューム１１２ａから信号が入力されると、発射制御回路３２０において、遊技球発射装置に設けられた発射用ソレノイド１１２ｃを通電して遊技球を発射させる制御がなされる。
【００４８】
副制御基板３３０は、主に遊技中や待機中等の各演出を制御する。この副制御基板３３０は、サブＣＰＵ３３０ａ、サブＲＯＭ３３０ｂ、サブＲＡＭ３３０ｃを備えており、主制御基板３００に対して、不正防止の観点により、当該主制御基板３００から副制御基板３３０への一方向に通信可能に接続されている。サブＣＰＵ３３０ａは、主制御基板３００から送信されたコマンドやタイマからの入力信号等に基づいて、サブＲＯＭ３３０ｂに格納されたプログラムを読み出して演算処理を行うとともに、演出を実行制御する。このとき、サブＲＡＭ３３０ｃは、サブＣＰＵ３３０ａの演算処理時におけるデータのワークエリアとして機能する。
【００４９】
具体的には、副制御基板３３０は、上記演出表示部２００ａに画像を表示させる画像表示制御を行う。サブＲＯＭ３３０ｂには、演出表示部２００ａに表示される図柄や背景等の画像データが多数格納されており、サブＣＰＵ３３０ａが、画像データをサブＲＯＭ３３０ｂから不図示のＶＲＡＭに読み出して、演出表示部２００ａの画像表示を制御する。また、副制御基板３３０は、演出役物装置２０２を駆動制御したり、演出照明装置２０４を点灯制御したり、楽曲出力装置２０６から楽曲を出力させる楽曲出力制御を行う。
【００５０】
図４は、副制御基板３３０における、演出表示部２００ａ、演出役物装置２０２、演出照明装置２０４、楽曲出力装置２０６の制御態様を説明するためのブロック図であり、図５は、それらに共通する制御態様を示すフローチャートである。副制御基板３３０に設けられたサブＣＰＵ（ＣＰＵ）３３０ａは、サブＲＯＭ３３０ｂに格納されたプログラムおよびサブＲＡＭ３３０ｃと協働して、演出決定部３３２、演出実行部３３４として機能する。演出決定部３３２は、主制御基板３００から送信されたコマンドを解読し、そのコマンドに対応する演出パターン（演出の一連の流れを示す内容）を決定する。演出実行部３３４は、決定された演出パターンに基づいて画像ＩＣ３４０ａ、役物ドライバ３４２、照明ドライバ３４４、楽曲ＩＣ３４６ａ等の各デバイスにコマンドを送信して演出を実行させる。かかる演出決定部３３２および演出実行部３３４は、いずれも割込に応じた処理（割込処理）であり、デバイスそれぞれに対応付けられた割込タイミングで実行される。
【００５１】
例えば、演出決定部３３２は、図５に示すように、所定の割込周期（例えば３３．３ｍｓｅｃ）の到来を待ち（Ｓ１０におけるＮＯ）、所定の割込周期（例えば３３．３ｍｓｅｃ）が到来すると（Ｓ１０におけるＹＥＳ）、演出パターンに基づいた画像データ（演出パターンが示す演出のうち、演出表示部２００ａに表示する画像に相当するデータ）を決定する（Ｓ１１）。そして、演出実行部３３４は、画像ＩＣ３４０ａに対して、画像データを特定可能な画像コマンドを送信し（Ｓ１２）、ステップＳ１０からの処理を繰り返す。画像ＩＣ３４０ａは、ＶＤＰ（Video Display Processor）とも呼ばれ、画像コマンドによって特定される画像データを画像ＲＯＭ３４０ｂから画像ＲＡＭ（ＶＲＡＭ）３４０ｃに読み出し、画像データを、順次、演出表示部２００ａに出力する。なお、演出表示部２００ａには、常に、何かしらの画像が表示される。したがって、演出決定部３３２は、割込周期毎に、常に、画像データを決定していることとなる。
【００５２】
なお、画像ＲＡＭ３４０ｃは、それぞれ異なるレイヤを有し、各レイヤに異なる画像データを保持させることができる。そして、画像ＩＣ３４０ａは、複数のレイヤに保持された画像データを重畳し、その重畳された画像データが演出表示部２００ａに出力される。
【００５３】
また、演出決定部３３２は、上記の画像ＩＣ３４０ａに対する制御と並行して、演出パターンの決定に伴い、所定の割込周期（例えば２ｍｓｅｃ）が到来すると（Ｓ１０におけるＹＥＳ）、演出パターンに基づいた役物パターン（演出パターンが示す演出のうち、演出役物装置２０２の一連の動作を示す内容）を決定する（Ｓ１１）。そして、演出実行部３３４は、その役物パターンに従って、役物ドライバ３４２に所定時間間隔で１（ＯＮ）または０（ＯＦＦ）のコマンドを送信し（Ｓ１２）、ステップＳ１０からの処理を繰り返す。役物ドライバ３４２は、かかるコマンドに従い、演出役物装置２０２を駆動するＦＥＴ（Field Effect Transistor）をＯＮまたはＯＦＦにする。したがって、演出役物装置２０２は、役物パターンが決定されたときのみ動作することとなる。なお、演出役物装置２０２は、遊技者に対し、大当たりの期待感を高める、物理的な動作を伴う一時的な演出なので、画像データや、後述する照明パターン、楽曲データと比較して、役物パターンが決定される頻度が低い。
【００５４】
また、演出決定部３３２は、上記の画像ＩＣ３４０ａ、役物ドライバ３４２に対する制御と並行して、演出パターンの決定に伴い、所定の割込周期（例えば１００ｍｓｅｃ）が到来すると（Ｓ１０におけるＹＥＳ）、演出パターンに基づいた照明パターン（演出パターンが示す演出のうち、演出照明装置２０４の一連の点灯態様を示す内容）を決定する（Ｓ１１）。そして、演出実行部３３４は、その照明パターンに従って、照明ドライバ（ＬＥＤドライバ）３４４に所定時間間隔で１（ＯＮ）または０（ＯＦＦ）のコマンドを送信し（Ｓ１２）、ステップＳ１０からの処理を繰り返す。照明ドライバ３４４は、かかるコマンドに従い、演出照明装置２０４を駆動するＦＥＴをＯＮまたはＯＦＦにする。こうして、演出照明装置２０４であるランプが点灯制御される。なお、演出照明装置２０４は、常に、点灯または消灯を繰り返している。したがって、演出決定部３３２は、割込周期毎に、常に、演出パターンを決定していることとなる。
【００５５】
また、演出決定部３３２は、上記の画像ＩＣ３４０ａ、役物ドライバ３４２、照明ドライバ３４４に対する制御と並行して、演出パターンの決定に伴い、所定の割込周期（例えば５０ｍｓｅｃ）が到来すると（Ｓ１０におけるＹＥＳ）、演出パターンに基づいた楽曲データ（演出パターンが示す演出のうち、楽曲出力装置２０６に出力する楽曲に相当するデータ）を決定する（Ｓ１１）。そして、演出実行部３３４は、楽曲ＩＣ３４６ａに対して、楽曲データを特定可能な楽曲コマンドを送信し（Ｓ１２）、ステップＳ１０からの処理を繰り返す。楽曲ＩＣ３４６ａは、楽曲コマンドによって特定される楽曲データを楽曲ＲＯＭ３４６ｂから楽曲ＩＣ３４６ａに読み出し、楽曲データを、順次、楽曲出力装置２０６であるスピーカに出力する。なお、楽曲出力装置２０６には、常に、何かしらの楽曲が出力されている。したがって、演出決定部３３２は、割込周期毎に、常に、楽曲データを決定していることとなる。
【００５６】
なお、楽曲ＩＣ３４６ａは、複数の楽曲バッファ（バッファ）を有し、各楽曲バッファに異なる楽曲データを保持させることができる。そして、楽曲ＩＣ３４６ａは、複数の楽曲バッファに保持された楽曲データを重畳し、その重畳された楽曲データが楽曲出力装置２０６に出力される。
【００５７】
ここでは、サブＣＰＵ３３０ａ、サブＲＡＭ３３０ｃ、画像ＩＣ３４０ａ、画像ＲＯＭ３４０ｂ、画像ＲＡＭ３４０ｃ、楽曲ＩＣ３４６ａ、楽曲ＲＯＭ３４６ｂ等の一連の機能部が、ＳｏＣ（System-on-a-Chip）として１個の集積回路に集積されている。ただし、かかるＳｏＣにいずれの機能部を集積するかは任意に設定することができる。また、サブＣＰＵ３３０ａ、サブＲＡＭ３３０ｃ、画像ＩＣ３４０ａ、画像ＲＯＭ３４０ｂ、画像ＲＡＭ３４０ｃ、楽曲ＩＣ３４６ａ、楽曲ＲＯＭ３４６ｂ等の各機能部がそれぞれ異なる集積回路として集積され、電気的に接続されているとしてもよい。
【００５８】
さらには、副制御基板３３０には、演出操作装置２０８が押下操作されたことを検出する押下検出スイッチ２０８ｓ、および、演出操作装置２０８が回転操作されたことを検出する回転検出スイッチ２０９ｓから検出信号が入力される。これら押下検出スイッチ２０８ｓまたは回転検出スイッチ２０９ｓから検出信号が入力されると、演出表示部２００ａに画像が表示される等、さまざまな演出が実行される。
【００５９】
なお、各基板には、不図示の電源基板が接続されており、電源基板を介して商用電源から各基板に電力供給がなされている。
【００６０】
以下、サブＣＰＵ３３０ａにおいて各デバイスの割込処理が重複した場合の制御について詳述する。
【００６１】
図６は、割込処理の優先順位の一例を示した説明図である。ここでは、図６の上方に向かうにつれ優先順位が高くなり、図６の下方に向かうにつれ優先順位が低くなる。例えば、割込処理「役物ドライバ」は、上述した役物ドライバ３４２にコマンドの送信契機を与える処理である。割込処理「画像ＩＣ」は、上述した画像ＩＣ３４０ａにコマンドの送信契機を与える処理である。割込処理「楽曲ＩＣ」は、上述した楽曲ＩＣ３４６ａにコマンドの送信契機を与える処理である。割込処理「照明ドライバ」は、上述した照明ドライバ３４４にコマンドの送信契機を与える処理である。なお、かかる割込処理以外にも、例えば、電断時の割込処理等様々な割込が存在するが、ここでは、説明の便宜上、本実施形態に特に関係のある項目にのみ言及している。
【００６２】
例えば、画像ＩＣ３４０ａ、役物ドライバ３４２、照明ドライバ３４４、楽曲ＩＣ３４６ａ等の各デバイスは、決定された演出に基づいて並行して動作される。ただし、各デバイスは割込周期が異なり、遊技者に違和感を与えないという観点から、応答性を要するデバイスに他より優先して演出を実行させる。すなわち、割込周期が相対的に短い割込処理の方が、割込周期が相対的に長い割込処理より優先して実行されることになる。これは、処理が所定時間遅れた場合に、割込周期が短い方が、割込周期が長い方より所定時間の遅れの影響を大きく受けることに起因している。
【００６３】
ここで、優先して処理する（優先処理）とは、既に任意の割込処理が発生していたとしても、それより優先順位の高い割込処理が発生した場合に、優先順位が高い割込処理を優先して実行し、優先順位の低い割込処理の進行を待たせることである。したがって、優先順位の低い割込処理は、優先順位の高い割込処理が終了した後にその処理を再開することができる。
【００６４】
しかし、割込周期のみに基づいて一律に演出を実行するように優先順位を決定してしまうと、各デバイスが演出を実行する総合的な時間効率が低下し、全体的なパフォーマンスを発揮できない場合がある。そこで、割込周期以外の要素（例えば、割込処理の占有時間、演出実行時の遅延要素）も考慮して優先順位を決定することで、遊技者に違和感を与えることなく、演出の全体的なパフォーマンスを高める。ここでは、画像ＩＣ３４０ａに対する割込処理「画像ＩＣ」と、役物ドライバ３４２に対する割込処理「役物ドライバ」とを例に挙げて説明する。
【００６５】
上述したように、画像ＩＣ３４０ａでは、画像コマンドによって特定される画像データを画像ＲＯＭ３４０ｂから画像ＲＡＭ（ＶＲＡＭ）３４０ｃに読み出し、画像データを、順次、演出表示部２００ａに出力する。ここでは、画像ＩＣ３４０ａおよび演出表示部２００ａそれぞれには、複数（ここでは２つ）のバッファが設けられている。そして、かかる複数のバッファを切り換えて用いることで、画像データの各フレームをシームレスに表示することができる。
【００６６】
図７は、フレームの切り換え態様を説明するための説明図である。割込タイミングになると（割込周期が到来すると）、画像ＩＣ３４０ａは、画像ＲＡＭ３４０ｃにおける第１コマンドバッファと第２コマンドバッファとの動作対象を切り換える。具体的に、割込処理（１）において、画像ＩＣ３４０ａは、任意の第２フレームを画像ＲＯＭ３４０ｂから画像ＲＡＭ３４０ｃの第１コマンドバッファに読み出す。また、画像ＩＣ３４０ａは、画像ＲＡＭ３４０ｃの第２コマンドバッファに保持されている第１フレームを演出表示部２００ａに送信する。ここで、フレームの添字（第０〜第４）は、画像データにおける表示順を示している。したがって、図７の例では、画像データとして、第０フレーム→第１フレーム→第２フレーム→第３フレーム→第４フレームの順に演出表示部２００ａに表示される。また、割込タイミングになると、演出表示部２００ａは、第１フレームバッファと第２フレームバッファとの動作対象を切り換える。具体的に、割込処理（１）において、演出表示部２００ａは、第１フレームバッファに保持されている第０フレームをプログレッシブ方式によって表示する。また、演出表示部２００ａは、画像ＩＣ３４０ａから受信した第１フレームを第２フレームバッファに格納する。
【００６７】
したがって、割込処理（１）において、画像ＩＣ３４０ａは、画像ＲＡＭ３４０ｃへのフレームの読み出しとフレームの送信を並行して実行することができ、また、演出表示部２００ａは、フレームの受信と表示を並行して実行することが可能となる。
【００６８】
続いて、次の割込タイミング後の割込処理（２）において、画像ＩＣ３４０ａは、任意の第３フレームを画像ＲＯＭ３４０ｂから画像ＲＡＭ３４０ｃの第２コマンドバッファに読み出すとともに、画像ＲＡＭ３４０ｃの第１コマンドバッファに保持されている第２フレームを演出表示部２００ａに送信する。また、割込処理（２）において、演出表示部２００ａは、画像ＩＣ３４０ａから受信した第２フレームを第１フレームバッファに格納するとともに、第２フレームバッファに保持されている第１フレームをプログレッシブ方式によって表示する。続いて、次の割込タイミング後の割込処理（３）において、画像ＩＣ３４０ａは、任意の第４フレームを画像ＲＯＭ３４０ｂから画像ＲＡＭ３４０ｃの第１コマンドバッファに読み出すとともに、画像ＲＡＭ３４０ｃの第２コマンドバッファに保持されている第３フレームを演出表示部２００ａに送信する。また、割込処理（３）において、演出表示部２００ａは、画像ＩＣ３４０ａから受信した第３フレームを第２フレームバッファに格納するとともに、第１フレームバッファに保持されている第２フレームをプログレッシブ方式によって表示する。こうして、画像データの各フレームを途切れさせることなく、シームレスに表示することが可能となる。
【００６９】
また、役物ドライバ３４２では、コマンドに従い、演出役物装置２０２にＯＮ／ＯＦＦ信号を出力する。例えば、演出役物装置２０２としてパルスモータが用いられた場合、役物ドライバ３４２は、パルスモータに対し、正転または反転信号を出力し、回転位置を調整する。
【００７０】
図８は、パルスモータの動作態様を説明するための説明図である。割込タイミングになると（割込周期が到来すると）、役物ドライバ３４２は、演出実行部３３４からのコマンドに従い、回転量（＋１パルス、±０パルス、−１パルスのいずれか）を出力する。演出役物装置２０２としてのパルスモータは、例えば、１−２相励磁で制御され、回転量（相対パルス数）分だけ回転位置（絶対パルス数）を変化させる（例えば１００パルス→１０１パルス→１０２パルス）。図８において正転している領域（図８中左側）では、割込周期（例えば２ｍｓｅｃ）に１パルス分回転しているので、その回転速度は５００ｐｐｓとなる。ここでは、割込周期を短時間（例えば、２ｍｓｅｃ）とすることで、パルスモータのスムーズな回転を実現することができる。なお、ここでは、役物ドライバ３４２が割込タイミング毎に最大１パルス変化する例を挙げて説明したが、役物ドライバ３４２が＋１より大きい値や、−１未満の値を出力する場合もある。また、回転位置が反転する際（例えば１０３パルス→１０４パルス→１０３パルス）、パルスモータを全相励磁して、一旦演出役物装置２０２を停止させるとしてもよい。
【００７１】
このように、画像ＩＣ３４０ａに対する割込処理「画像ＩＣ」と、役物ドライバ３４２に対する割込処理「役物ドライバ」とを比較すると、割込処理「役物ドライバ」の割込周期（２ｍｓｅｃ）が、画像ＩＣ３４０ａの割込周期（３３．３ｍｓｅｃ）より短い。この場合、遊技者に違和感を与えないようにするため、割込周期に基づいて、応答性を要する演出、すなわち、割込処理「役物ドライバ」を割込処理「画像ＩＣ」より優先して処理するべきである。
【００７２】
しかし、割込処理「役物ドライバ」の占有時間は、パルスモータの現在の回転位置から移動すべき回転位置を導出する等の計算処理が含まれるため、画像データを決定するだけの割込処理「画像ＩＣ」の占有時間より長い（処理が重い）。したがって、割込周期のみに基づいて単純に割込処理「役物ドライバ」を優先すると、割込処理「画像ＩＣ」の開始または再開までに時間を要し、割込処理「画像ＩＣ」の遅れが、各デバイスが演出を実行する総合的な時間効率に影響してしまう。
【００７３】
また、割込処理「役物ドライバ」は、演出実行時の遅延要素を含んでいる。具体的に、割込処理「役物ドライバ」では、役物ドライバ３４２からの出力信号が、ＦＥＴ等アナログ回路を経由し、また、パルスモータがギヤードモータの場合、減速機部分がバックラッシュ等を有するので、全体的に遅延（アナログ）要素を含むこととなる。そうすると、割込処理「役物ドライバ」では、最終的なモータの回転まで伝達するのに時間を要すこととなるので、割込処理において応答性を高めてもモータの回転の応答性に寄与しない。これに対し、割込処理「画像ＩＣ」は、図７に示すように、遅延要素は、割込タイミングからのバッファの切り換えまでのみであり、切り換わった後の処理では時間を費やさない。
【００７４】
図９は、本実施形態における割込処理の優先順位の一例を示した説明図である。ここでは、比較例である図６と優先順位を変更し、割込周期のみに基づいて単純に割込処理「役物ドライバ」を、割込処理「画像ＩＣ」や割込処理「楽曲ＩＣ」より優先すべき状況下ではあるものの、割込処理「画像ＩＣ」や割込処理「楽曲ＩＣ」を、割込処理「役物ドライバ」より優先する。具体的に、割込処理「役物ドライバ」の優先順位を、割込処理「画像ＩＣ」、割込処理「楽曲ＩＣ」より低くする。
【００７５】
かかる割込処理「画像ＩＣ」を優先する構成により、遊技者が比較的認識しやすい演出表示部２００ａ等に違和感を与えることなく、各デバイスが演出を実行する総合的な時間効率を向上でき、高いパフォーマンスを発揮できる。
【００７６】
また、かかる割込処理「役物ドライバ」の優先順位を低下させる構成により、割込処理「役物ドライバ」の応答性が低下するが、上記のように、割込処理「役物ドライバ」が元々有する遅延要素に吸収されるので影響は少ない。さらに、上述したように、割込処理「役物ドライバ」は、物理的な動作を伴う一時的な演出であり、常に生じている割込処理「画像ＩＣ」に比べて割込処理自体が生じる頻度が少ないので、応答性を低下させたことの全体への影響を限定することができる。
【００７７】
なお、ここでは、割込処理「役物ドライバ」と割込処理「画像ＩＣ」との関係で、割込処理「役物ドライバ」の優先順位を低下させることの効果を述べたが、割込処理「役物ドライバ」と割込処理「楽曲ＩＣ」との関係でも、割込処理「役物ドライバ」の優先順位を低下させることで、割込処理「画像ＩＣ」の場合同様の効果を得られるのは言うまでもない。
【００７８】
また、ここでは、画像ＩＣ３４０ａに対する割込処理「画像ＩＣ」と、役物ドライバ３４２に対する割込処理「役物ドライバ」とを挙げて優先順位を変更する例を挙げて説明したが、デバイス同士の様々な組み合わせについて、割込周期に基づき、一方のデバイス（第１デバイス）に、他方のデバイス（第２デバイス）より優先して演出を実行させるべき状況下において、割込処理の占有時間や演出実行時の遅延要素に基づいて、一方のデバイスと他方のデバイスとの優先順位を変更してもよい。
【００７９】
また、ここでは、割込周期に基づき、一方のデバイス（第１デバイス）に、他方のデバイス（第２デバイス）より優先して演出を実行させるべきという前提の下、割込処理の占有時間や演出実行時の遅延要素に基づいて、他方のデバイスに、一方のデバイスより優先して演出を実行させる例を挙げて説明したが、かかる場合に限らず、例えば、割込処理の占有時間に基づき、一方のデバイス（第１デバイス）に、他方のデバイス（第２デバイス）より優先して演出を実行させるべきという前提の下、演出実行時の遅延要素に基づいて、他方のデバイスに、一方のデバイスより優先して演出を実行させてもよい。また、このように、一方のデバイス（第１デバイス）に、他方のデバイス（第２デバイス）より優先して演出を実行させるべきという前提がなくとも、割込周期、割込処理の占有時間、および、演出実行時の遅延要素のいずれか１つ、または、割込周期、割込処理の占有時間、および、演出実行時の遅延要素から選択される少なくとも２つの要素に基づいて一方のデバイスおよび他方のデバイスのいずれかに優先して演出を実行させれば足りる。すなわち、前提として、割込周期によっていずれを優先するかが決定されている必要はない。例えば、上記の画像ＩＣ３４０ａに対する割込処理「画像ＩＣ」、および、役物ドライバ３４２に対する割込処理「役物ドライバ」の例では、割込周期にのみ基づいたり、割込処理の占有時間のみに基づいたり、演出実行時の遅延要素にのみ基づいたり、割込周期および割込処理の占有時間に基づいたり、割込周期および演出実行時の遅延要素に基づいたり、または、割込処理の占有時間および演出実行時の遅延要素に基づき、それらを総合的に勘案し、割込処理「画像ＩＣ」に、割込処理「役物ドライバ」より優先して演出を実行させるとしてもよい。
【００８０】
また、ここでは、遅延要素として、ＦＥＴ等アナログ回路や、減速機のバックラッシュ等を挙げて説明したが、かかる場合に限らず、プログラムの処理待ち、信号の伝送遅延、バッファ、物理的摩擦、ソレノイドやモータの電磁的遅延等、様々な要素を適用できる。
【００８１】
また、ここでは、役物ドライバ３４２の演出対象である可動体として、パルスモータを挙げて説明したが、かかる場合に限らず、ギヤードモータやソレノイドを採用することができる。また、可動体（パルスモータ）の制御方式として、１−２相励磁方式を挙げて説明したが、１相励磁や２相励磁を採用したり、ＰＷＭ（Pulse Width Modulation）方式を採用することもできる。
【００８２】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００８３】
例えば、上述した実施形態においては、遊技機として、大当たり図柄を含む複数種類の図柄の中からいずれかを決定する図柄決定手段と、図柄が決定されてから所定の変動時間が経過すると、図柄表示部に図柄を表示させる図柄表示手段と、図柄表示部に大当たり図柄が表示されると、複数回のラウンド遊技で構成される大役遊技を実行する大役遊技実行手段と、大役遊技におけるラウンド遊技のうち予め設定された特定ラウンド遊技中に、大入賞口に入球した遊技球が特定領域に進入すると、所定の遊技利益を付与する遊技利益付与手段と、大役遊技中の演出を実行する演出実行手段と、を備えるパチンコ機を例示したが、かかる場合に限らず、スタートスイッチの操作に基づき、複数種類の当選役のいずれかを当選役抽選により決定する当選役抽選手段と、スタートスイッチの操作に応じて、複数種類の図柄がそれぞれ配列された複数の回転リールを回転制御し、回転している回転リールに対応するストップスイッチの操作に応じ、当選役抽選手段の抽選結果に基づいて、操作されたストップスイッチに対応する回転リールをそれぞれ停止制御するリール制御手段と、複数種類の演出のいずれかを実行する演出制御手段と、を備えるスロットマシンにも適用できる。以下、スロットマシン６００について詳述する。
【００８４】
（スロットマシン６００の機械的構成）
図１０および図１１の外観図に示すように、スロットマシン６００は、略矩形状の箱体である筐体６０２と、筐体６０２の前面開口部に対して回動可能な連結部材により開閉可能に取り付けられた前面上扉６０４と、前面上扉６０４の下方に位置し、前面上扉６０４同様、筐体６０２の前面開口部に対して開閉可能に取り付けられた前面下扉６０６と、前面下扉６０６の下部に位置し、メダル排出口６０８ａから払い出されたメダルを貯留するための受け皿部６０８とを備えている。
【００８５】
前面下扉６０６の上部には操作部設置台６２２が形成され、操作部設置台６２２には、メダル投入部６２４、ベットスイッチ６２６、スタートスイッチ６２８、ストップスイッチ６３０、演出スイッチ６３２等が配設されている。
【００８６】
操作部設置台６２２の右側に位置するメダル投入部６２４は、メダル投入口６２４ａを通じて遊技媒体としてのメダルの投入を受け付け、前面下扉６０６の背面に設けられたメダルセレクタ（図示せず）にメダルを送る。メダルセレクタには、メダルの投入が可能な投入期間外に投入されたメダルや規格外のメダルをメダル排出口６０８ａに導くブロッカー（図示せず）と、投入期間内に投入された規格内のメダルの通過を検出する投入メダル検出部６２４ｂとが設けられている。ここで、メダル排出口６０８ａに導かれたメダルは受け皿部６０８に排出される。遊技者により、１遊技を開始するために必要なメダルの投入数である規定投入数を超えてメダルが投入されると、その規定投入数を超えた分のメダルが、所定枚数（例えば５０枚）を上限としてスロットマシン６００の内部に電気的に貯留（以下、単にクレジットという）される。上記１遊技については後程詳述する。
【００８７】
また、ここでは、規定投入数は「３」または「２」に設定されている。なお、１遊技を実行するために必要なメダル数を、複数の規定投入数から任意に選択できる場合、その複数の規定投入数の中の最大のものを最大規定投入数といい、最小のものを最小規定投入数という。仮に、規定投入数が１〜３の間で選択可能な場合、最大規定投入数は「３」となり、最小規定投入数は「１」となる。
【００８８】
ベットスイッチ６２６は、クレジットされているメダルのうち規定投入数のメダルを投入（ベット）する、押圧式のボタンスイッチである。規定投入数以上のメダルがクレジットされている状態で、ベットスイッチ６２６を押圧すると、１遊技が開始可能となるとともに、クレジットされているメダルが規定投入数分だけ減枚される。
【００８９】
操作部設置台６２２の左側に位置するスタートスイッチ６２８は、傾倒操作を検出可能なレバーで構成され、遊技者による１遊技の開始操作を検出する。また、スタートスイッチ６２８は、押圧操作を検出可能なボタンスイッチによって構成することも可能である。
【００９０】
前面上扉６０４の下部略中央には、ガラス板や透明樹脂板等で構成された無色透明の図柄表示窓６３６が設けられ、筐体６０２内の図柄表示窓６３６に対応した位置には、リールユニット６３４が設けられている。リールユニット６３４には、図１２のリールの図柄配列に示すように、２１に等分された各領域に複数種類の図柄がそれぞれ配列された３つの回転リール（左リール６３４ａ、中リール６３４ｂ、右リール６３４ｃ）が、それぞれ独立して回動可能に設けられ、遊技者は、図柄表示窓６３６を通じて、左リール６３４ａ、中リール６３４ｂ、右リール６３４ｃを視認することができる。リールユニット６３４は、スタートスイッチ６２８の操作を契機として、左リール６３４ａ、中リール６３４ｂ、右リール６３４ｃの回転を開始する。
【００９１】
操作部設置台６２２の中央に位置するストップスイッチ６３０は、左リール６３４ａ、中リール６３４ｂ、右リール６３４ｃそれぞれに対応して設けられた、遊技者の押圧操作を検出可能なボタンスイッチであり、左リール６３４ａ、中リール６３４ｂ、右リール６３４ｃそれぞれを停止させようとする遊技者の停止操作を検出する。なお、ストップスイッチ６３０に係る３つのボタンスイッチを特にストップボタンスイッチとよび、その位置に応じて左から順にストップボタンスイッチ６３０ａ、ストップボタンスイッチ６３０ｂ、ストップボタンスイッチ６３０ｃとする。
【００９２】
演出スイッチ６３２は、押圧式のボタンスイッチと、その周囲に回転自在に配されたジョグダイヤルスイッチとから構成され、遊技者の押圧操作や回転操作を検出する。かかる演出スイッチ６３２は、主として演出中に用いられ、遊技者の操作によって演出態様を異ならせることができる。
【００９３】
前面上扉６０４の上部略中央には、演出に伴う様々な映像を表示する液晶表示部６３８が設けられている。また、前面上扉６０４の上部や左右には、例えば高輝度の発光ダイオード（ＬＥＤ）によって構成される演出用ランプ６４２が設けられる。
【００９４】
また、図１１に示すように、前面上扉６０４の裏面における液晶表示部６３８の左右位置や前面下扉６０６の裏面における内面左右位置には、効果音や楽音等による聴覚的な演出を行うスピーカ６４０が設けられている。さらに、筐体６０２内におけるリールユニット６３４の下方には、メダル排出口６０８ａからメダルを払い出すためのメダル払出装置（メダルホッパー）７６４が設けられている。メダル払出装置７６４は、メダルを貯留するメダル貯留部７６４ａと、メダル貯留部７６４ａに貯留されたメダルをメダル排出口６０８ａから排出するための払出制御部７６４ｂと、メダル排出口６０８ａから排出されるメダルを検出する払出メダル検出部７６４ｃとを備えている。具体的に払出制御部７６４ｂは、当該払出制御部７６４ｂの本体外装に回動可能に支持され、メダル貯留部７６４ａから落下したメダルが上方より１枚ずつ嵌入するメダル嵌入孔を円周方向に複数配してなるディスク（図示せず）と、かかるディスクを回転するディスクモータ（図示せず）とを備え、このディスクを回転させて、メダル嵌入孔に嵌入したメダルを、押出機構を通じて１枚ずつ外部に排出するとともに、排出により空いたメダル嵌入孔に次のメダルを順次嵌入させることで、メダルを１枚ずつ連続排出する。
【００９５】
また、図１０や図１１では図示していないが、各回転リール６３４ａ、６３４ｂ、６３４ｃの内側には、左リール６３４ａ、中リール６３４ｂ、右リール６３４ｃそれぞれに施された図柄のうち、図柄表示窓６３６に対応する（払い出しの対象となるラインである有効ラインの対象となり得る）各回転リール６３４ａ、６３４ｂ、６３４ｃの上段、中段、下段の図柄を背面から個々に独立して照射するリールバックライト６４４（図１３参照）が設けられている。また、図柄表示窓６３６の裏面上部にも左リール６３４ａ、中リール６３４ｂ、右リール６３４ｃ全ての正面を直接照射するリール上方ライト６４６が設けられている。
【００９６】
また、図１０に示すように、操作部設置台６２２において、図柄表示窓６３６とストップスイッチ６３０との間に設けられた段部６２２ａの略水平面には、メインクレジット表示部６５２およびメイン払出表示部６５４が設けられている。また、図柄表示窓６３６と操作部設置台６２２との間には、サブクレジット表示部６５６およびサブ払出表示部６５８が設けられている。これらメインクレジット表示部６５２およびサブクレジット表示部６５６にはクレジット枚数が表示され、メイン払出表示部６５４およびサブ払出表示部６５８にはメダルの払出枚数が表示される。なお、サブクレジット表示部６５６およびサブ払出表示部６５８には、演出に伴う様々な数値を表示することもできる。
【００９７】
また、筐体６０２内の任意の位置には、電源スイッチ６４８が設けられている。電源スイッチ６４８は、ロッカースイッチ等、押圧操作を検出可能なスイッチで構成され、当該スロットマシン６００を管理する管理者側が操作し、電源の切断状態と電源の投入状態の２つの状態を切り換えるために用いられる。
【００９８】
なお、本実施形態において、上記１遊技は、メダル投入部６２４を通じたメダルの投入、ベットスイッチ６２６の操作を通じたクレジットされているメダルの投入、または、リプレイ役が有効ライン上に表示されたことに基づくメダルの自動投入のいずれかが行われてから、遊技者によるスタートスイッチ６２８の操作に応じて、複数の回転リール６３４ａ、６３４ｂ、６３４ｃが回転制御されるとともに当選役抽選が実行され、当選役抽選の抽選結果および遊技者による複数のストップボタンスイッチ６３０ａ、６３０ｂ、６３０ｃの操作に応じて、操作されたストップボタンスイッチ６３０ａ、６３０ｂ、６３０ｃに対応する回転リール６３４ａ、６３４ｂ、６３４ｃがそれぞれ停止制御され、メダルの払い出しを受け得る当選役に入賞した場合、そのメダルの払い出しが実行されるまでの遊技をいう。また、メダルの払い出しを受け得る当選役に非当選であった場合または当選したが入賞しなかった場合、回転リール６３４ａ、６３４ｂ、６３４ｃが全て停止したことをもって１遊技が終了する。ただし、１遊技の開始を、上記のメダルの投入、または、リプレイ役の当選の代わりに、遊技者によるスタートスイッチ６２８の操作と読み替えてもよい。また、かかる１遊技が繰り返される数を遊技数とする。
【００９９】
（スロットマシン６００の電気的構成）
図１３は、スロットマシン６００の概略的な電気的構成を示したブロック図である。図１３に示すように、スロットマシン６００は、主として、制御基板によって制御されている。ここでは、制御基板の一例として、制御基板の機能を分担した、主制御基板７００と、副制御基板７０２とを挙げて説明する。例えば、遊技の進行に関わるプログラムのうち、遊技に供する当選役の抽選やその入賞といったような、特に重要な処理を主制御基板７００で実行し、それ以外の例えば演出に関する処理を副制御基板７０２で実行している。また、図１３に示したように、主制御基板７００と副制御基板７０２との間の電気的な信号の伝達は、不正防止等の観点から、主制御基板７００から副制御基板７０２への一方向のみに制限される。ただし、このような制限がなければ、電気的に双方向通信も技術的に可能である。
【０１００】
（主制御基板７００）
主制御基板７００は、中央処理装置であるメインＣＰＵ７００ａ、プログラム等が格納されたメインＲＯＭ７００ｂ、ワークエリアとして機能するメインＲＡＭ７００ｃ等を含む各種半導体集積回路を有し、スロットマシン６００全体を統括的に制御する。ただし、メインＲＡＭ７００ｃには不図示のバックアップ電源が接続されており、電源が切断された場合においても、設定変更が行われてメインＲＡＭ７００ｃの初期化処理を実行しない限り、データが消去されることなく保持される。
【０１０１】
また、主制御基板７００は、メインＣＰＵ７００ａが、メインＲＯＭ７００ｂに格納されたプログラムに基づきメインＲＡＭ７００ｃと協働することで機能する、初期化手段８００、ベット手段８０２、当選役抽選手段８０４、リール制御手段８０６、判定手段８０８、払出制御手段８１０、状態移行手段８１２、コマンド決定手段８１４、コマンド送信手段８１６等の機能部を有する。
【０１０２】
初期化手段８００は、主制御基板７００における初期化処理を実行する。ベット手段８０２は、遊技に使用するためのメダルをベットする。ここで、ベットは、ベットスイッチ６２６の操作を通じてクレジットされているメダルを投入する場合と、メダル投入部６２４を通じてメダルを投入する場合と、リプレイ役が有効ライン上に表示されたことに基づいてメダルを自動投入する場合のいずれも含む。当選役抽選手段８０４は、メダルのベットおよびスタートスイッチ６２８の操作に基づき、小役、リプレイ役、および、ボーナス役を含む複数種類の当選役、ならびに、ハズレのうちいずれかを当選役抽選により決定する。
【０１０３】
リール制御手段８０６は、スタートスイッチ６２８の操作に応じて、複数の回転リール６３４ａ、６３４ｂ、６３４ｃを回転制御し、回転している回転リール６３４ａ、６３４ｂ、６３４ｃにそれぞれ対応した複数のストップボタンスイッチ６３０ａ、６３０ｂ、６３０ｃの操作に応じ、操作されたストップボタンスイッチ６３０ａ、６３０ｂ、６３０ｃに対応する回転リール６３４ａ、６３４ｂ、６３４ｃをそれぞれ停止制御する。また、リール制御手段８０６は、スタートスイッチ６２８の操作に応じて、前回の遊技においてストップスイッチ６３０の操作を有効化してから、当選役抽選の抽選結果を表示するために遊技者によるストップスイッチ６３０の操作を有効化するまで（前回の遊技におけるストップスイッチ６３０の操作完了により無効化されている）の時間を規定の時間より延長し、その間、回転リール６３４ａ、６３４ｂ、６３４ｃを多彩な態様で回転させるリール演出（フリーズ演出）を行う場合がある。リール演出は、本来有効となるべき任意のスイッチを所定時間有効にしなかったり、本来実行されるべき処理を所定時間保留したり、本来送受信されるべき任意のスイッチの信号を所定時間送信または受信させなかったりすることで実現できる。
【０１０４】
判定手段８０８は、当選役抽選で決定した当選役に対応する図柄組み合わせが有効ライン上に表示されたか否か判定する。ここで、当選役抽選で決定した当選役に対応する図柄組み合わせが有効ライン上に表示されることを単に入賞という場合がある。払出制御手段８１０は、当選役抽選で決定した当選役に対応する図柄組み合わせが有効ライン上に表示されたこと（入賞されたこと）に基づいて、当該当選役に対応する数だけメダルを払い出す。状態移行手段８１２は、ボーナス役の当選や入賞に基づいて遊技状態を遷移させる。
【０１０５】
コマンド決定手段８１４は、ベット手段８０２、当選役抽選手段８０４、リール制御手段８０６、判定手段８０８、払出制御手段８１０、状態移行手段８１２等の動作に伴う、遊技に関するコマンドを順次決定する。コマンド送信手段８１６は、コマンド決定手段８１４が決定したコマンドを副制御基板７０２に順次送信する。
【０１０６】
主制御基板７００では、投入メダル検出部６２４ｂ、ベットスイッチ６２６、スタートスイッチ６２８およびストップスイッチ６３０から各種の検出信号を受信しており、受信した検出信号に基づいて、ベット手段８０２、当選役抽選手段８０４、リール制御手段８０６、判定手段８０８が上述した種々の処理を実行する。また、主制御基板７００には、メインクレジット表示部６５２およびメイン払出表示部６５４が接続されており、払出制御手段８１０が両表示部６５２、６５４に対してメダルのクレジット枚数や払出枚数の表示を制御する。
【０１０７】
また、主制御基板７００には、リール駆動制御部７５８が接続されている。このリール駆動制御部７５８は、スタートスイッチ６２８の操作信号に応じ、リール制御手段８０６から送信される各回転リール６３４ａ、６３４ｂ、６３４ｃの回転開始信号に基づいて、ステッピングモータ７６２を駆動するとともに、ストップスイッチ６３０の操作信号に応じ、リール制御手段８０６から送信される、左リール６３４ａ、中リール６３４ｂ、右リール６３４ｃそれぞれの停止信号および回転位置検出回路７６０の検出信号に基づいて、ステッピングモータ７６２の駆動を停止する。
【０１０８】
また、主制御基板７００には、メダル払出装置７６４が接続されている。主制御基板７００には払出メダル検出部７６４ｃの検出信号が入力されるようになっており、払出制御手段８１０は、その検出信号に応じてメダルの払出枚数を計数しながら払出制御部７６４ｂからのメダルの排出を制御する。
【０１０９】
また、主制御基板７００には、乱数発生器７００ｄが設けられる。乱数発生器７００ｄは、計数値を順次インクリメントし、所定の総数（例えば６５５３６）内でループさせ（０〜６５５３５）、所定の時点における計数値を抽出することで乱数を生成（取得）する。主制御基板７００の乱数発生器７００ｄによって生成される乱数（以下、当選役抽選乱数という）は、遊技者に付与する遊技利益、例えば、当選役抽選手段８０４が当選役抽選を実行するために用いられる。
【０１１０】
（副制御基板７０２）
また、副制御基板７０２は、主制御基板７００と同様に、中央処理装置であるサブＣＰＵ７０２ａ、プログラム等が格納されたサブＲＯＭ７０２ｂ、ワークエリアとして機能するサブＲＡＭ７０２ｃ等を含む各種半導体集積回路を有し、主制御基板７００からのコマンドに基づき、特に演出を制御する。また、サブＲＡＭ７０２ｃにもメインＲＡＭ７００ｃ同様、不図示のバックアップ電源が接続されており、電源が切断された場合においても、データが消去されることなく保持される。なお、副制御基板７０２にも、主制御基板７００同様、乱数発生器７０２ｄが設けられており、乱数発生器７０２ｄによって生成される乱数（以下、演出抽選乱数という）は、主に演出の態様を決定するために用いられる。
【０１１１】
また、副制御基板７０２は、サブＣＰＵ７０２ａが、サブＲＯＭ７０２ｂに格納されたプログラムに基づき、サブＲＡＭ７０２ｃと協働することで機能する、初期化決定手段８３０、コマンド受信手段８３２、演出制御手段８３４等の機能部を有する。
【０１１２】
初期化決定手段８３０は、副制御基板７０２における初期化処理を実行する。コマンド受信手段８３２は、主制御基板７００等、他の制御基板からのコマンドを受信し、コマンドに対する処理を行う。演出制御手段８３４は、演出スイッチ６３２から検出信号を受信するとともに、当選役コマンドに基づいて液晶表示部６３８、スピーカ６４０、演出用ランプ６４２の各デバイスで行われる遊技の演出を決定する。具体的に、演出制御手段８３４は、液晶表示部６３８に表示される画像データや、演出用ランプ６４２、リールバックライト６４４、リール上方ライト６４６、サブクレジット表示部６５６、サブ払出表示部６５８等の電飾機器を通じた演出のための電飾データを決定するとともに、スピーカ６４０から出力すべき音声を構成する音声データを決定する。そして、演出制御手段８３４は、決定した遊技の演出を実行する。
【０１１３】
演出は、上述したリール演出のような主制御基板７００によって実行される演出と、副制御基板７０２によって実行される演出がある。副制御基板７０２によって実行される演出は、遊技の進行に伴い、液晶表示部６３８、スピーカ６４０、演出用ランプ６４２、リールバックライト６４４、リール上方ライト６４６、サブクレジット表示部６５６、サブ払出表示部６５８等を通じて提供される視覚的および聴覚的な表現手段であり、当該遊技にストーリー性を与えたり、当選役抽選の結果をよりダイナミックな画像で示唆したりすることができる。このような演出では、例えば、ボーナス遊技の当選を示唆する演出を複数遊技に亘って行い、遊技者の期待感を高めることができる。また、たとえ、いずれの当選役にも当選していなかったとしても、恰も当選しているかのような演出を通じて遊技者に高配当の期待感を持たせ、遊技者を飽きさせないようにすることが可能となる。
【０１１４】
なお、スロットマシン６００においては、演出制御手段８３４が、上述した、割込処理を行う、演出決定部３３２、演出実行部３３４として機能する。
【０１１５】
なお、スロットマシン６００においても、上述したパチンコ機同様、副制御基板７０２における、役物ドライバ３４２にコマンドの送信契機を与える割込処理「役物ドライバ」の優先順位を、割込処理「画像ＩＣ」や割込処理「楽曲ＩＣ」より低く設定することができるが、主制御基板７００におけるリール制御手段８０６による回転リール６３４ａ、６３４ｂ、６３４ｃの回転および停止は、厳密な制御を要するので、割込処理の優先順位を低くできない。換言すれば、割込処理「役物ドライバ」は、副制御基板７０２における割込処理だからこそ、割込処理「画像ＩＣ」や割込処理「楽曲ＩＣ」より低く設定することが可能となる。
【符号の説明】
【０１１６】
３３０、７０２  副制御基板
３３０ａ、７０２ａ  サブＣＰＵ（ＣＰＵ）
３３０ｂ、７０２ｂ  サブＲＯＭ
３３０ｃ、７０２ｃ  サブＲＡＭ
３３２  演出決定部
３３４  演出実行部
３４０ａ  画像ＩＣ（デバイス）
３４２  役物ドライバ（デバイス）
３４６ａ  楽曲ＩＣ（デバイス）
【図１】
2018102430.tif 000003
【図２】
2018102430.tif 000004
【図３】
2018102430.tif 000005
【図４】
2018102430.tif 000006
【図５】
2018102430.tif 000007
【図６】
2018102430.tif 000008
【図７】
2018102430.tif 000009
【図８】
2018102430.tif 000010
【図９】
2018102430.tif 000011
【図１０】
2018102430.tif 000012
【図１１】
2018102430.tif 000013
【図１２】
2018102430.tif 000014
【図１３】
2018102430.tif 000015